(57)【要約】  研削機、研磨機用引込式給水腕装置が、部分にループ状に形成され研削機、研磨機のベース部に１または複数の位置で固定された柔軟なホースを含む。水放出部が柔軟なホースの端部に取付けられている。付勢されたアームが、ループ状に形成された部分に係合し、ホースの移動と共に移動して該ホースに張力を作用する。該アームはローラーを有し、ホースが該ローラー上を移動する。ベース部に取付けられたマウント部が水放出部を受承すると共に、該マウント部を通してホースが移動する。マウント部を通してホースを案内するためのマウントローラーがマウント部に取付けられている。
2012501865.tif 000002
【特許請求の範囲】
【請求項１】
ボールを有した研削機、研磨機用引込式給水腕装置において、
部分にループ状に形成され前記研削機、研磨機のベース部に少なくとも一ヶ所で固定された柔軟なホースであって固定部分と引出引込自在な部分とを有した柔軟なホースと、
前記引出引込自在な部分の端部に取付けられた水放出部と、
前記ループ状に形成された部分に係合し、前記ホースの移動と共に移動して該ホースに張力を作用する勢されたアームであって、該アームはローラーを有し、前記ホースが該ローラー上を移動し、該付勢されたアームによって前記柔軟なホースが引込まれた状に付勢されるようにしたアームと、
前記水放出部が着座するマウント部であって、該マウント部を通して前記ホースが移動するようにしたマウント部とを具備し、
前記水放出部および前記ホースの前記引出引込自在の部分が前記研削機、研磨機から引込まれ、かつ、前記付勢されたアームが、前記水放出部および引出引込自在の部分を前記研削機、研磨機内に引戻すようにした引込式給水腕装置。
【請求項２】
前記マウント部に取付けられ前記マウント部を通して前記引出引込自在の部分を案内するためのマウントローラーを更に具備する請求項１に記載の引込式給水腕装置。
【請求項３】
前記アームを付勢するための付勢部材を更に具備する請求項１に記載の引込式給水腕装置。
【請求項４】
前記付勢部材は、前記アームの一端と前記研削機、、研磨機の他端とに取付けられたバネである請求項３に記載の引込式給水腕装置。
【請求項５】
前記水放出部および前記マウント部に設けられ、前記マウント部に対する前記水放出部の回転動作を制限するための動作制限要素を更に具備する請求項１に記載の引込式給水腕装置。
【請求項６】
前記動作制限要素は、前記水放出部に設けられたピンと、前記マウント部に形成され前記ボールに対する前記水放出部の位置を維持する切欠部とを含む請求項５に記載の引込式給水腕装置。
【請求項７】
前記固定部分が、前記研削機、研磨機に固定された複数の取付要素によって固定された状態に維持される請求項１に記載の引込式給水腕装置。
【請求項８】
取付要素がクリップである請求項７に記載の引込式給水腕装置。
【請求項９】
前記マウントローラーには、前記引出引込自在の部分を前記マウント部のボアを通じて方向づけるための溝部が形成されている請求項２に記載の引込式給水腕装置。
【請求項１０】
前記アームのローラーおよび前記マウントローラーが、損傷防止材料から形成されている請求項２に記載の引込式給水腕装置。
【請求項１１】
前記損傷防止材料がプラスチックである請求項１０に記載の引込式給水腕装置。
【発明の詳細な説明】
【技術分野】
【０００１】
本発明は研削機、研磨機に関する。より詳細には、本発明は研削機、研磨機用引込式給水腕装置の改良に関する。
【０００２】
なお、本願は、２００８年９月１１日出願の米国特許出願第61/096,048号の優先権を主張する。
【背景技術】
【０００３】
研削機、研磨機は多くの産業で用いられている。それらは、顕微鏡試験のような試験用に金属試料、ポリマー試料、セラミック試料等を準備するために頻繁に用いられる。
【０００４】
研削機、研磨機は試験や被検査物のホルダーを含み、該ホルダーは厚盤に対して回転し、該厚盤もまた回転するようになっている。こうして、同時に２つの回転動作が生じる。概ね研磨性のスラリーを前記厚盤に噴射することによって、被検査物を研削または研磨するための研磨媒体が供給される。
【発明の概要】
【発明が解決しようとする課題】
【０００５】
厚盤はボール内に支持されており、該ボールは、研削または研磨工程で生じる屑のための収納容器として作用する。水その他の液体を用いてボールを洗浄して屑が除去される。周知の洗浄装置では、屑はボール内に見苦しく不都合に集積する可能性があることが分かっている。
【０００６】
周知の水供給装置は長く扱いにくいホースを有しており、多くの場合、操作者は、水を正確に供給するために両手を用いなければならない。このことは、操作者が被検査物を研削または研磨するために両手を必要とし注意を払わなければならない場合に、大きな問題となる。これはまた、研削機、研磨機のベース部の開口部にホースをある長さだけ差戻す或いは押入れようとする場合に問題となる。
【０００７】
従って、研削機、研磨機用の給水装置を改良する必要性がある。こうした給水装置は、研削、研磨工程の間に片手で操作して水を供給可能であることが望ましい。一層望ましくは、供給ホースが自動的に格納され、かつ、研削機、研磨機のボールの外に水が放出されないようにする。
【課題を解決するための手段】
【０００８】
ボールを有した研削機、研磨機用引込式給水腕装置が、部分にループ状に形成され前記研削機、研磨機のベース部に１または複数の位置で固定された柔軟なホースを含む。前記柔軟なホースは前記ベース部に固定された固定部分と、引出引込自在な部分とを有する。
水放出部が、前記引出引込自在な部分の端部に取付けられている。
【０００９】
アームが、前記ベース部に取付けられており、前記ループ状に形成された部分に係合する。前記ホースの移動と共に移動して該ホースに張力を作用する。該アームはローラーを有し、前記ホースが該ローラー上を移動し、該アームによって前記柔軟なホースが引込まれた状に付勢される。
【００１０】
前記ベース部にマウント部が取付けられており、該マウント部に前記水放出部が着座すると共に、該マウント部を通して前記ホースが移動する。前記水放出部および前記ホースの前記引出引込自在の部分が、前記研削機、研磨機から引込まれ、かつ、前記付勢されたアームによって、前記水放出部および引出引込自在の部分が前記研削機、研磨機内に引戻される。
【００１１】
前記マウント部を通して前記引出引込自在の部分を案内するためのマウントローラーが前記マウント部に取付けられている。前記マウント部に対する前記水放出部の回転動作を制限するための動作制限要素が、前記水放出部および前記マウント部に設けられている。前記動作制限要素は、前記水放出部に設けられたピンと、前記マウント部に形成された切欠部とによって、前記ボールに対する前記水放出部の位置を維持することができる。
前記ローラーは、プラスチックのような損傷防止材料から形成されている。
【図面の簡単な説明】
【００１２】
【図１】本発明の原理を実施する引込式給水腕装置を有した研削機、研磨機の正面図である。
【図２】図１の研削機、研磨機の平面図である。
【図３】研削機、研磨機の底面斜視図であり、引込式給水腕装置を示す図である。
【図４】研削機、研磨機の底面図である。
【図５】引込式給水腕装置のアームと供給ホースの分解図である。
【図６】引込式給水腕装置の分解図である。
【発明を実施するための形態】
【００１３】
本発明の利点は、添付した写真(Ph.)および図面(FIG.)を参照して説明する以下の詳細な説明から当業者には明らかとなろう。
【００１４】
本発明は種々の形態にて実施可能であるが、現時点において好ましい実施形態を添付図面に示し以下に説明する。本開示は本発明の一例であって、説明する実施形態に本発明を限定する趣旨ではない。
【００１５】
更に、本明細書におけるこの項目「本発明の詳細な説明」は、米国特許庁の要求に関連し、ここに開示する主題を制限する趣旨ではないことは理解されよう。
【００１６】
添付図面、特に図１、２を参照すると、研削機、研磨機１０は、本発明の原理を採用した給水腕装置１２を有する。研削機、研磨機１０は、概略的にベース部１４、ヘッド１６および制御パネル１８を含む。
【００１７】
ベース部１４には、回転盤２０と流体供給、水洗（水供給）装置が配設されている。ベース部１４には、また、収集ボール２２が配設されており、該収集ボール内に研削または研磨する間に発生した屑と共に前記流体が収集される。
【００１８】
後述するように、工程の間に発生した洗い流すべき屑は多量となることがある。従って、装置１２は、研削機、研磨機１０全体の不可欠で重要な部分である。
【００１９】
周知の研削機、研磨機は給水腕装置を有しており、ベース部に取付けられたホース（該ホースにもベース部から供給される）から前記給水腕装置に供給される。前記給水腕装置は、単にベース部から引張られ、完了するとホースはベース部内に差戻さなければならない。これは、ホースをベース部内に差戻すために手を使わなければならないという問題がある。
【００２０】
本装置１２は、片手で操作可能な引込式ホース組立体２４を用いている。装置１２は、水放出ハンドルまたは水放出部１１およびループホース２６を含んでいる。ループホースの一部２６ａがベース部１４に固定されており、ループホースの他の部分（ループ２６ｂ）が、撓んでベース部から引出したり、同ベース部内に引込んだりすることができるようになっている（つまり、引出引込自在部分となっている）。ホース２６の可撓性部分（引出引込自在部分２６ｂ）は、バネによって付勢されたローラーアーム２８によってベース部１４に取付けられている。ローラーアーム２８は、回動点３２において１または複数のベアリング３２によってベース部１４に取付けられている。水放出部ヘッド１１がベース部１４に静置されている（図１、２）間、ローラーアーム２８がホース２６ｂの弛みを除去する。この位置では、図３、４に示すように、バネ３４は弛緩した状態にあり、ホース２６は、ベース部１４の上壁の下面３６上で伸びた状態にある。
【００２１】
本装置では、ホースの固定部分２６ａは、ナイロンクリップのようなクリップ３８によって３点でベース部１４に固定されている。ローラーアーム２８に先端部にはローラー４０が取付けられており、該ローラー４０にホースのループ部分２６ｂが装着されている。
【００２２】
図６、７に本給水腕装置１２を示す。装置１２は、ベース部１４に取付けられたマウント部４４を含み、該マウント部はボア４５を有している。該ボアを通してホース部分２６ｂが移動する。マウント部４４はローラー４６を含み、該ローラーは一部がベース部１４の上側に配置され、一部がベース部１４の下側に配置される。ローラー４６によってホース部分２６ｂは、ベース部１４の下側からベース部１４の上側に方向転換する。ローラー４６は、ホース部分２６ｂをボア４５に通すように、ボア４５に対して一直線上に位置決めされる溝部４８を有している。前記溝部は、また、ベース部１４の下側でホース部分２６ｂが移動する方向（矢印４９）に対して一直線上に配置される。溝部４８は、また、ベース部１４から上方に（ホース部分２６ｂがベース部１４から引張られる方向）に対して一直線上に配置されている。
【００２３】
ローラー４６は、マウント部４４に固定されたローラー取付部４０によってマウント部４４に取付けられている。ローラー４６は、ホース部分２６ｂがマウント部４４（ベース部１４）を通じて移動する際の円滑な経路を形成すると共に、ホース部分２６ｂの自由な移動を阻害するようなエッジや表面、部分から該ホース部分２６ｂを遠ざける。ローラー４６は、また、ホース部分２６ｂに切り傷や磨耗したりすることを防止する。好ましくは、ローラー４０、４６は、円滑な損傷防止プラスチック材料のような損傷防止材料から形成される。
【００２４】
ホース部分２６ｂは、継手５２によって水放出部１１（ベース部１４から引出され、同ベース部内に引込まれる部分）に取付けられている。継手５２は、好ましくは、迅速継手より成り、円錐部材５４内に配置される。ホース部分２６ｂは、マウント部４４から引出されたり同マウント部内に引込まれるときに、円錐部材５４によって保護される。円錐部材５４は継手５２上に配置され、継手５２（すなわちホース部分２６ｂ）の装置１２からの脱離を防止する。
【００２５】
水放出部１１は、また、該水放出部１１の底部５８に取付けられた位置決めピン５６を含んでいる。該位置決めピンは、マウント部４４に形成されたスロットまたは切欠部６０内に配置されるようになっている。位置決めピン５６は、水放出部１１がマウント部４４に対してある程度動作（回転）することを許容するが、水放出部１１がボール２２の外部へ回転し過ぎることを防止する。こうして、上記協働する要素（位置決めピン５６とスロットまたは切欠部６０）によって、水放出部１１はボール２２の上方に保持され、該水放出部１１がマウント部４４内に休止位置にあるときに該水放出部が回転して、水がボール２２の外に放出されてしまうことを防止する。
【００２６】
本引込式給水腕装置１２は、周知のホースシステムに対して多くの利点がある。第１に、緊張したローラーアーム２８によって、ホース部分２６ｂが縺れることが防止されると共に、ホース部分２６ｂが、研削機、研磨機のベース部１４において「安全な」位置に復帰する。また、ホース部分２６ｂの緩みが除去され、かつ、該ホース部分をベース部の開口部内に押し戻す必要がなくなる。これによって、片手で操作可能となり、水放出部１１が研削機、研磨機のベース部１４にはっきりと確実に復帰可能となる。
【００２７】
本明細書中で参照した全ての特許文献は、本明細書中において特段の記載の有る無しに拘らず、本願と一体をなすものとして引用する。
【００２８】
本明細書中において「ａ」または「ａｎ」との記載は単数および複数の双方を含むものとする。反対に、複数形にて示される記載であっても、それが適切である場合には単数を含むものとする。
【００２９】
本発明の新規な概念の精神と範囲とから逸脱することなく、種々の修正と変形が可能であることは理解されよう。また、図示する特定の実施形態は本発明を制限する趣旨ではなく、またそのように推論すべきではない。ここに開示された内容は、本発明の範囲内に含まれるそうした全ての修正をカバーするものである。
【符号の説明】
【００３０】
１０    研削機、研磨機
１１    水放出部
１２    引込式給水腕装置
１４    ベース部
１６    ヘッド
１８    制御パネル
２０    回転盤
２２    収集ボール
２２    ボール
２４    引込式ホース組立体
２６    ループホース
２６ａ    ホースの固定部分
２６ｂ    ホースの引出引込自在部分（ループ部分）
２８    ローラーアーム
３２    回動点
３４    バネ
３６    上壁の下面
３８    クリップ
４０    ローラー
４４    マウント部
４５    ボア
４６    ローラー
４８    溝部
４９    矢印
５２    継手
５６    位置決めピン
５８    底部
６０    スロットまたは切欠部
【図１】
2012501865.tif 000003
【図２】
2012501865.tif 000004
【図３】
2012501865.tif 000005
【図４】
2012501865.tif 000006
【図５】
2012501865.tif 000007
【図６】
2012501865.tif 000008
【国際調査報告】
2012501865.tif 000009